(57)【要約】【課題】外観が魅力的であり、かつ、制作時間が短く、大量生産にも適した、オリジナルフィギュアを提供する。【解決手段】頭部と胴体部とから構成されているオリジナルフィギュアであって、頭部は、頭部の前半分すなわち顔部を構成する前部材と、頭部の後ろ半分すなわち後頭部を構成する後部材と、前部材の頂部に被せて前髪を構成する前部被覆部材とを、それぞれの部材に設けた凹部・凸部・突起または孔により嵌合させて構成し、胴体部は、腕と上半身が一体的に成型された胴体部材に、布帛またはシート状の素材で作成された上着部材を被せるようにして着用させる。【選択図】図２
0003155221.tif 000002
【実用新案登録請求の範囲】
【請求項１】
頭部と胴体部とから構成されているオリジナルフィギュアであって、
頭部は、頭部の前半分すなわち顔部を構成する前部材と、頭部の後ろ半分すなわち後頭部を構成する後部材と、前部材の頂部に被せて前髪を構成する前部被覆部材とを、それぞれの部材に設けた凹部・凸部・突起または孔により嵌合させてなり、
胴体部は、腕と上半身が一体的に成型された胴体部材に、布帛またはシート状の素材で作成された上着部材を被せるようにして着用させてなる、
オリジナルフィギュア。
【請求項２】
前部材は、表面側を無地の顔型に成型した部材であって、表面の中心よりやや下側に鼻部分にあたる隆起が形成され、表面の両側に耳部分にあたる隆起が形成され、眉と目と口は、顧客から提供された顔写真画像を顔画像認識プログラムにより解析して得られたパターンに従って、インクジェットプリンタにより印刷されている、請求項１に記載のオリジナルフィギュア。
【請求項３】
上着部材は、矩形の布帛を二つに折りたたみ腕の部分を除いて両脇を縫い合わせて作成され、インクジェットプリンタにより所望の文字や図形が印刷されている、請求項１に記載のオリジナルフィギュア。
【考案の詳細な説明】
【技術分野】
【０００１】
本考案は、カバン用のキーホルダーストラップなどに用いられるオリジナル制作が可能なマスコットフィギュアに関するものである。
【背景技術】
【０００２】
顔の写真画像から、そっくり顔のオリジナルフィギュアを作成する技術については、多くの特許出願がなされており、例えば、下記に列記している文献が存在している。これらの文献に開示されている技術では、フィギュアの顔部分が実際に撮影された顔と極めて近いことを目的としているため、写真画像データをフィギュアの顔に転写あるいはシート状のものに転写してフィギュアの顔部分に貼るなどして、写真画像をなるべくそのままフィギュアの顔部分に反映させるものである。従って、これらの技術においては、顔画像データを編集するにしても、フィギュアの顔部分に適合させるためのサイズの変更などに限られている。
【０００３】
一方、カバンなどに吊り下げるキーホルダーストラップ用に制作されるマスコット用のフィギュアなどを想定したとき、フィギュアの顔部分に実際の顔との写実性のみを追求しても必ずそれがフィギュアとしての魅力につながるかどうかは極めて疑問である。むしろ、実際の顔の特徴はある程度活かしつつも、フィギュアとして魅力的なようにかわいらしくデフォルメされていたり、希望の髪型、顔型、目鼻の造作にデフォルメされていたりする方が、オリジナルでありつつも人を引き付けるフィギュアとなる可能性が高い。
【０００４】
また、フィギュアのボディについては、一律のボディしか用意されていなかったり、選択可能であっても予め完成されているお仕着せのいくつかのボディから選択することが出来たりする程度であった。
【先行技術文献】
【特許文献】
【０００５】
【特許文献１】特開平８−２１５４３８号公報
【特許文献２】特開２００１−２４３５３８号公報
【特許文献３】特開２００４−２６１６２０号公報
【特許文献４】特開２００６−３５５６２号公報
【特許文献５】国際公開ＷＯ２００７／０６６３８９号公報
【特許文献６】特開２００８−１６７８４８号公報
【考案の概要】
【考案が解決しようとする課題】
【０００６】
本考案は、外観が魅力的であり、かつ、制作時間が短く、大量生産にも適した、オリジナルフィギュアを提供することを目的とする。
【課題を解決するための手段】
【０００７】
本考案によるオリジナルフィギュアは、頭部と胴体部とから構成されていて、頭部は、頭部の前半分すなわち顔部を構成する前部材と、頭部の後ろ半分すなわち後頭部を構成する後部材と、前部材の頂部に被せて前髪を構成する前部被覆部材とを、それぞれの部材に設けた凹部・凸部・突起または孔により嵌合させてなり、胴体部は、腕と上半身が一体的に成型された胴体部材に、布帛またはシート状の素材で作成された上着部材を被せるようにして着用させてなるものである。
【０００８】
さらに、上記オリジナルフィギュアの前部材は、表面側を無地の顔型に成型した部材であって、表面の中心よりやや下側に鼻部分にあたる隆起が形成され、表面の両側に耳部分にあたる隆起が形成され、眉と目と口は、顧客から提供された顔写真画像を顔画像認識プログラムにより解析して得られたパターンに従って、インクジェットプリンタにより印刷することが出来る。
【０００９】
また、上着部材は、矩形の布帛を二つに折りたたみ腕の部分を除いて両脇を縫い合わせて作成され、インクジェットプリンタにより所望の文字や図形を印刷することができる。
【考案の効果】
【００１０】
本考案の特徴は、上着部材が、胴体部材とは別個に布帛あるいはシート状の素材で作成される点である。これにより、オリジナルフィギュアの胴体部材に直接服の色や模様等を印刷したり塗ったりする場合に比して、顧客の自由な注文（地色、印刷する文字・図形等）にフレキシブルに応えることが出来ると共に、布帛であると、実際のユニフォームと共通にする場合のリアル度が高いという効果がある。
【００１１】
また、顔の造作について、顧客から提供された写真画像を分析して選択されたタイプに基づいて印刷することにより、実際の顔の特徴はある程度活かしつつも、フィギュアとして魅力的なようにかわいらしくデフォルメすることが出来る。
【００１２】
さらに、オリジナル制作において、オリジナルとしての特徴部分は、主として印刷される部分にあるので、オリジナルグッズでありながら、受注から完成までの制作時間が短くて済み、大量生産にも適している。
【図面の簡単な説明】
【００１３】
【図１】本考案によるオリジナルフィギュアの一実施形態を示す斜視図である。
【図２】図１に示したオリジナルフィギュアの各構成部材を示す斜視図である。
【図３】本考案によるオリジナルフィギュアの受注後完成までの処理の流れを示す図である。
【考案を実施するための形態】
【００１４】
以下、図面を参照して、本考案の実施の形態について説明する。図１は、本考案によるオリジナルフィギュア１の一実施の形態を示す斜視図、図２は、オリジナルフィギュア１の構成部材を示す斜視図である。
【００１５】
本考案によるオリジナルフィギュア１は、頭部と胴体部とから構成されている。図１に示すように、頭部は、頭部の前半分すなわち顔部を構成する前部材２１と、頭部の後ろ半分すなわち後頭部を構成する後部材２２と、前部材２１の頂部に被せて前髪を構成する前部被覆部材２３とから構成されている。胴体部は、一体的に形成された胴体部材３１と、胴体部３１に着用させる上着部材３２とから構成されている。カバン等に吊り下げるためにはストラップ部材４が取り付けられるが、置き人形タイプの場合にはストラップ部材４は必要ない。
【００１６】
次に、図１及び図２を用いて、オリジナルフィギュア１を構成する各構成部材についてさらに詳しく説明する。図２において、前部材２１と、後部材２２と、前部被覆部材２３とは、裏面における構成が明瞭となるよう、表面を下側にして図示されている。
【００１７】
前部材２１は、表面側を無地の顔型に成型した部材であって、表面の中心よりやや下側に鼻部分にあたる隆起２１ｎが形成され、表面の両側に耳部分にあたる隆起２１ｙが形成されている。図２に示すように、前部材２１の裏面の中心部には凹部２１ａ、同じく裏面の頂部には凹部２１ｂ、同じく裏面の底面には貫通孔２１ｄがそれぞれ設けられている。前部材２１表面の顔部分に表されている眉と目と口は、インクジェットプリンタにより直接前部材２１の成型面に印刷される。
【００１８】
後部材２２は、図１及び図２に示すように、表面を後頭部の髪型に成型した部材であって、裏面の中心部に凸部２２ａ、裏面の頂部に突起２２ｃが設けられている。同様に、前部被覆部材２３は、前部材２１の額部分にかぶさる前髪の髪型に成型した部材であって、裏面の上部には凸部２３ｂが設けられ、頂部には貫通孔２３ｃが設けられている。そして、前部材２１の凹部２１ａに後部材２２の凸部２２ａを嵌合させ、前部材２１の凹部２１ｂに被覆部材２３の凸部２３ｂを嵌合させ、後部材２２の突起２２ｃを被覆部材２３の貫通孔２２ｃに嵌合させることにより、頭部を組み立てる。
【００１９】
胴体部材３１は、腕と上半身が一体的に成型されていて、底面は安定して置けるように平らであって、上部に突起３１ｄが設けられている。上着部材３２は、矩形の布帛を二つに折りたたみ腕の部分を除いて両脇を縫い合わせて作成されていて、インクジェットプリンタにより所望の文字や図形等を直接印刷した上で、胴体部材３１に上部から被せ突起３１ｄを突き通すようにして着用させる。なお、図１及び図２において、上着部材３２に表されている縫い目の点線は、布帛の裁ち部分を折り返してほつれないように縫製されていることを表している。
【００２０】
胴体部材３１の突起３１ｄを、前部材２１の貫通孔２１ｄに嵌合させることによって、オリジナルフィギュア１全体が完成する。
【００２１】
なお、本考案によるオリジナルフィギュアは、各構成部材を上述のように組み立てることに特徴があり、嵌合させる凹部や凸部や突起等の形状あるいはこれらの凹部や凸部をどのように形成するかについては、上記の実施の形態や図２に示した形状や構成に限定されることはない。
【００２２】
前部材２１、後部材２２、前部被覆部材２３及び胴体部材３１は、ウレタン樹脂などの合成樹脂によって作成することが出来るが、インクジェットプリンタにより直接印刷可能な素材であればどんな素材でも用いることが出来る。上着部材３２は、ポリエステル等の合成繊維や、綿などの天然繊維による布帛あるいはシート状の素材で作成することが出来るが、インクジェットプリンタにより直接印刷可能であって、胴体部材３１に被せて着用可能な素材であればどんな素材でも用いることが出来る。上着部材３２の素材は、多少伸縮性のあるものであれば、胴体部材３１にフィットしやすいので、なお望ましい。
【００２３】
次に、図３を用いて、本考案によるオリジナルフィギュアの受注後完成までの処理の流れについて説明する。このオリジナルフィギュアの制作は、通信回線を介して注文指示及び顔写真データを受領することから開始される。なお、注文は、依頼者自らが携帯電話あるいはパーソナルコンピュータを利用して送信してもよいし、店頭などで顧客からの注文を店員が送信するようにしてもよい。
【００２４】
図３のＳｔｅｐ１に示されるように、顧客からの注文と顔写真画像を受信すると、まず、顔画像認識プログラムにより、顔部品の特徴量を解析する。例えば、平均的な顔と比較した場合の位置情報を解析する。図３の例では、顔部品の特徴を、目と目との距離、鼻の長さ、面長度、という各要素により解析している。なお、本願考案者は、顔パターン分析について、すでに特許出願を行っている（特願２００８−３１３５７３号）。
【００２５】
次に、図３のＳｔｅｐ２に示されるように、Ｓｔｅｐ１で行った顔部品の特徴量の解析結果から、あらかじめ用意されている６種類の顔パターンのどのタイプに最も近いかを自動的にプログラム上で判断し、最も近いタイプを選択し、このタイプに基づいて顔写真画像を変換する。なお、このタイプの選択により、インクジェットプリンタで印刷する眉、目、口の位置が特定されることになる。
【００２６】
次に、図３のＳｔｅｐ３に移り、顧客に対して選択されたタイプにより表示された顔画像が送信され、これに対して、顧客にあらかじめ提示されている複数の部品、すなわち、複数の髪型、複数の眉の形状、複数の目の形状、複数の唇の形状、から希望の部品を選択させて送信させる。また、上着部材３２の表と裏に印刷する文字等を顧客に指定させて送信させる。なお、上記した部品に加えて、メガネなど他の部品を加えることもできる。
【００２７】
次に、図３のＳｔｅｐ４に示す制作工程において、予め選択された顔のタイプと、顧客から送信された部品の選択データとに基づいて、前部材２１の顔部分の眉と目と口を、インクジェットプリンタにより直接成型面に印刷する。また、顧客の選択した髪型に基づいて、予め準備されている複数の後部材２２及び前部被覆部材２３から、適した組み合せの部材を選択する。さらに、顧客の指定する文字等に従って、上着部材３２の表裏に指定された文字等をインクジェットプリンタで印刷する。最後に、これらの構成部品を組み立てて、オリジナルフィギュア１を完成させる。
【産業上の利用可能性】
【００２８】
本考案によるオリジナルフィギュアは、カバン用キーホルダーストラップやカーアクセサリや室内装飾用のマスコット人形として最適であり、文化祭や体育祭などのスクールイベント等に向けての揃いのマスコット作成や、スポーツチームの応援グッズとして、利用効果が非常に高いものである。
【符号の説明】
【００２９】
１  オリジナルフィギュア
２１  前部材
２２  後部材
２３  前部被覆部材
３１  胴体部材
３２  上着部材
【図１】
0003155221.tif 000003
【図２】
0003155221.tif 000004
【図３】
0003155221.tif 000005
【手続補正書】
【提出日】平成21年7月17日(2009.7.17)
【手続補正１】
【補正対象書類名】図面
【補正対象項目名】図１
【補正方法】変更
【補正の内容】
【図１】
0003155221.tif 000006
【手続補正２】
【補正対象書類名】図面
【補正対象項目名】図２
【補正方法】変更
【補正の内容】
【図２】
0003155221.tif 000007
【手続補正書】
【提出日】平成21年9月2日(2009.9.2)
【手続補正１】
【補正対象書類名】図面
【補正対象項目名】図３
【補正方法】変更
【補正の内容】
【図３】
0003155221.tif 000008